(57)【要約】  電話装置は、ＰＳＴＮ回線（１１）への接続を有する基地局（１）、並びに基地局及び基地局を介してＰＳＴＮへ接続可能なハンドセット（２）を有する。メモリは、各々の電話番号が像に関連づけられた電話番号データベースを記憶し、プロセッサは、データベースへの像のダウンロードを可能にする。入力デバイス（１８）は、像が電話番号と関連づけられること、及び電話番号が像と関連づけられてデータベースの中に保存されることを可能にする。ディスプレイ（１８）は、選択器、例えば、スクロール輪（２４）によってデータベースからの像及び／又は番号を表示し、ダイヤリング起動器、例えば、キー（２１）は、ディスプレイ上に表示された像に関連づけられた番号を電話装置がダイヤルすることを引き起こす。
2010506478.tif 000002
【特許請求の範囲】
【請求項１】
電話装置であって、
ＰＳＴＮ回線への接続を有する基地局と、
前記基地局及び該基地局を介して前記ＰＳＴＮへ接続可能なハンドセットと、
各々の電話番号が像に関連づけられ得る電話番号データベースを記憶するメモリと、
像を前記データベースへダウンロードするプロセッサと、
前記像を電話番号に関連づけ、前記電話番号を前記像と関連づけて前記データベースの中に保存する入力デバイスと、
各々の像を前記データベースから逐次に表示するように配設されたディスプレイと、
前記ディスプレイ上で表示するため前記データベースから像を選択する選択器と、
前記ディスプレイ上で表示された前記像に関連づけられた前記番号を前記電話装置にダイヤルさせるダイヤリング起動器と、
を備える電話装置。
【請求項２】
前記基地局と接続可能であるか接続されて、記憶された像の前記データベースへのダウンロードを可能にするディジタル・カメラを更に含む、請求項１に記載の電話装置。
【請求項３】
前記ハンドセットは、対応する無線モジュールを経由して前記基地局へ接続するための無線モジュールを有する、請求項１又は２に記載の電話装置。
【請求項４】
前記ハンドセットは充電コネクタ及び再充電可能バッテリを含み、前記基地局は対応する充電ポートを含んで、前記ハンドセットが前記基地局へ格納されるとき、前記ハンドセット内の再充電可能バッテリの充電を可能にする、請求項３に記載の電話装置。
【請求項５】
前記ハンドセットは前記基地局へのケーブル接続を有する、請求項１又は２に記載の電話装置。
【請求項６】
前記データベースを記憶する前記メモリは前記基地局の中に配置される、先行する請求項のいずれか一項に記載の電話装置。
【請求項７】
前記メモリは前記ハンドセットの中に配置される、請求項１から５のいずれか一項に記載の電話装置。
【請求項８】
前記データベースを含むメモリは、前記ハンドセット及び前記基地局の各々の中に提供される、請求項１から７のいずれか一項に記載の電話装置。
【請求項９】
カメラが基地局から取り外し可能である、請求項２に記載の電話装置。
【請求項１０】
前記カメラはハンドセットの中に配置される、請求項９に記載の電話装置。
【請求項１１】
前記カメラは前記基地局の中に永久的に搭載される、請求項１から７のいずれか一項に記載の電話装置。
【請求項１２】
前記入力デバイスはタッチスクリーン設備を備える、先行する請求項のいずれか一項に記載の電話装置。
【請求項１３】
前記ディスプレイは前記タッチスクリーン設備を提供する、請求項１２に記載の電話装置。
【請求項１４】
前記入力デバイスはキーパッドを備える、請求項１から１２のいずれか一項に記載の電話装置。
【請求項１５】
前記ディスプレイはタッチスクリーン・ディスプレイを含む、請求項１から１２のいずれか一項に記載の電話装置。
【請求項１６】
前記ディスプレイは前記ハンドセットの中に配置される、請求項１から１２のいずれか一項に記載の電話装置。
【請求項１７】
前記ディスプレイは前記基地局の中に配置される、請求項１から１２のいずれか一項に記載の電話装置。
【請求項１８】
第２のディスプレイを含み、そのディスプレイの１つは前記ハンドセットの中に配置され、他のディスプレイは前記基地局の中に配置される、請求項１から１７のいずれか一項に記載の電話装置。
【請求項１９】
前記選択器はキーパッドの１つ又は複数のキーを備える、先行する請求項のいずれか一項に記載の電話装置。
【請求項２０】
前記選択器はスクロール輪を備える、請求項１から１８のいずれか一項に記載の電話装置。
【請求項２１】
前記選択器は前記タッチスクリーン・ディスプレイ上のスクロール機能を含む、請求項１から１８のいずれか一項に記載の電話装置。
【請求項２２】
前記ダイヤリング起動器はキーである、先行する請求項のいずれか一項に記載の電話装置。
【請求項２３】
前記ダイヤリング起動器はタッチスクリーンを含む、請求項１から２１のいずれか一項に記載の電話装置。
【請求項２４】
番号起動ダイヤリングのためのキーパッドを含む、請求項２３に記載の電話装置。
【請求項２５】
前記スクリーンは、オンスクリーン・タッチ・ダイヤリングのためのキーパッドを選択的に表示するように準備される、請求項２４に記載の電話装置。
【請求項２６】
前記基地局は、メモリ・デバイス又はコンピュータへの外部接続のためのデータ・ポートを含む、先行する請求項のいずれか一項に記載の電話装置。
【請求項２７】
救急サービス番号への専用の可聴警報及びキーを含み、該キーが所定の時間の間押されたとき可聴警報が鳴るようにされる、先行する請求項のいずれか一項に記載の電話装置。
【請求項２８】
前記ディスプレイは、各々の像及び関連づけられた電話番号を前記データベースから逐次に表示するように準備される、先行する請求項のいずれか一項に記載の電話装置。
【発明の詳細な説明】
【技術分野】
【０００１】
本発明は電話装置に関し、更に具体的には、固定又は有線接続を有する公衆電話交換網（ＰＳＴＮ）へ取り付けられる電話装置に関する。
【背景技術】
【０００２】
世界の老年人口が増加するにつれて、人々の感覚が衰え、器用さが衰えても、使用が容易で理解するのに簡単な製品を提供することによって、人々が続けて生活を楽しめるようにする製品及びサービスの必要性が大きくなっている。特に、電話は老人世代の多くの人に難儀を与えるが、その原因は、一部分はキーのサイズのためであり、更にダイヤル操作に要求される数字の位置決め及び読み取りの難儀のためである。これらの問題を克服する試みは、キー及びキーパッドを大きくすること、メモリ・ダイヤリングなどを含んだ。
【発明の概要】
【発明が解決しようとする課題】
【０００３】
それにも拘わらず、現存する装置は、現存する多くの難儀を解決せず、より簡単で使用しやすい装置の必要性が存在する。
【課題を解決するための手段】
【０００４】
本発明によれば、ＰＳＴＮ回線への接続を有する基地局、この基地局、及び該基地局を介してＰＳＴＮへ接続可能なハンドセット、電話番号のデータベースを記憶するメモリであって、各電話番号が像に関連づけられ得るメモリ、像を前記データベースへダウンロードするプロセッサ、像を前記電話番号に関連づけて、該像と関連づけられた電話番号をデータベースの中に保存する入力デバイス、前記データベースから各々の像を逐次に表示するように配設されたディスプレイ、このディスプレイ上で表示するため前記データベースから像を選択する選択器、及び電話装置が前記ディスプレイ上に表示された像に関連づけられた番号をダイヤルすることを引き起こすダイヤリング起動器を含む電話装置が提供される。
【０００５】
好ましくは、この装置は、基地局へ接続可能又は接続されたディジタル・カメラも含む。ディジタル・カメラは、基地局又はハンドセットの一体化部分として提供されるか、別個のコンポーネントであってよい。この別個のコンポーネントは基地局へ取り付けられ、プロセッサの制御のもとで、コンポーネント内に記憶された像のダウンロードを可能にする。
【０００６】
そのような装置は、老年者又は身障者が、要求される数字の各々を入力する必要なしに、単に所望の像が表示されるまで像をスクロールすることによって、所望の番号を簡単にダイヤルできるようにすることが容易に了解される。
【０００７】
ハンドセットは、好ましくは、対応する無線モジュールを経由して基地局へ接続するための無線モジュールを有し、充電コネクタ及び再充電バッテリを含んでよい。基地局は対応する充電ポートを含み、ハンドセットが基地局へ格納されるとき、ハンドセット内の再充電バッテリの充電を可能にする。代替として、ハンドセットは基地局へのケーブル接続を有してよい。
【０００８】
前記データベースを記憶するメモリが基地局の中に配置されてよい。特に、ハンドセットがケーブルを経由して接続される場合にそうである。しかし好ましくは、メモリはハンドセットの中に配置される。特に、ハンドセットが基地局への無線接続を有するときにそうである。セキュリティ及びバックアップを目的として、データベースを含むメモリは、ハンドセット及び基地局の各々に提供されてよく、ハンドセットが基地局へ格納されるとき、それらのメモリが同期化される。
【０００９】
好ましくは、カメラは基地局から取り外すことができる。それはハンドセット内に配置されるか、全く別個のコンポーネントであってよい。しかしながら、それは代案として基地局の中に永久的に搭載されてよい。
【００１０】
入力デバイスは、好ましくは、ディスプレイと一体化されたタッチスクリーン設備を備えるが、代替としてキーパッドを備えてよい。
【００１１】
ディスプレイは、ハンドセット内、基地局内、又はこれら双方の中に配置されてよい。
【００１２】
選択器は、好ましくは、ハンドセット上にスクロール輪を備えるが、所望されるならば、「アップ」及び「ダウン」キーとして提供されてよい。代替として、選択器はタッチスクリーン・ディスプレイ上にスクロール機能を含む。
【００１３】
好ましくは、ダイヤリング起動器はキーであるが、ハンドセット・ディスプレイ上のタッチスクリーン設備の一部分として、又は代替の方法で、提供されてもよい。
【００１４】
キーパッドは、番号起動ダイヤリングのために提供されるか、他方では、スクリーンが、オンスクリーン・タッチ・ダイヤリングのためにキーパッドを選択的に表示するように準備され得る。
【００１５】
基地局は、好ましくは、メモリ・デバイス又はコンピュータへの外部接続用データ・ポートを含む。このデータ・ポートは、例えば、ＵＳＢポート又はイーサネット（登録商標）（ＲＪ４５）ポートの形態である。
【００１６】
救急サービス番号への専用である可聴警報及びキーが提供されてよい。キーが所定時間押されると、可聴警報が鳴るようにされる。
【００１７】
本発明に従った電話装置の１つの例は、添付された図を参照して今から説明される。
【図面の簡単な説明】
【００１８】
【図１】コードレス・ハンドセット２及び取り外し可能ディジタル・カメラ３を有する電話基地局１を、部品がどのように協力するかの表示と共に示す。
【図２】様々な使用モードにおけるディスプレイを示す。
【図３】様々な使用モードにおけるディスプレイを示す。
【図４】様々な使用モードにおけるディスプレイを示す。
【図５】様々な使用モードにおけるディスプレイを示す。
【図６】様々な使用モードにおけるディスプレイを示す。
【図７】様々な使用モードにおけるディスプレイを示す。
【図８】様々な使用モードにおけるディスプレイを示す。
【発明を実施するための形態】
【００１９】
基地局１は、電力リード線１０及び基地局を公衆電話網へ接続するＰＳＴＮ（電話回線）リード線１１を有する。代替の例において、リード線１１は、インターネットを経由する「ｖｏｉｃｅ  ｏｆ  ＩＰ」（ＶｏＩＰ）動作を行うため、基地局からパーソナル・コンピュータ又はＴＣＰＩＰルータへの有線接続によって置換されてよい。ハウジング１２は、コードレス・ハンドセット２を受け取る充電クレードル１３を有し、充電端子１４並びにデータ・ポート１５を有する。基地局は格納クレードル１６も含み、格納クレードル１６は、ディジタル・カメラ３を接続するためのデータ・ポート１７を有する。タッチスクリーン型のカラー・ディスプレイ１８は、プロセッサ（図示されないが基地局の中に置かれている）とのインタフェースとして提供される。マイクロホン１９は、基地局１を単独で使用してハンズフリー通話を行わせるために提供される。これは、ハンドセットがどこかにある場合に有用である。「増加」及び「減少」キー１２１及び１２２の形態をした音量コントロールが提供され、ハンズフリー動作を実現するスピーカ・オン／オフ・ボタン１２３も提供される。更に、ＬＥＤ１２４及び１２５の形態をした「メッセージ待機」及び「充電」表示器が提供され、それぞれ、電話基地局１の中の音声メッセージ記憶場所へのメッセージの受け取り、及び基地局へ提供された電力からのハンドセット・バッテリの充電を示す。所望されるならば、「メッセージ待機」表示もディスプレイ１８の上で提供されてよい。
【００２０】
データ・ポート１５及び１７は、基地局内のプロセッサの制御のもとで、カメラ３、基地局１、及びハンドセット２の間で像収納画像ファイルを伝送することを可能にする。プロセッサはタッチスクリーン１８の使用によって作動され、タッチスクリーン１８は、像登録簿にアクセスする、新しい像を追加する、又は番号入力及び名前入力のためにタッチスクリーン英数字キーパッドを選択する、などの適切な機能性を有する。所望されるならば、基地局１は、テキスト／スピーチ翻訳チップを含んでよい。基地局音声メッセージ記憶場所は、タッチスクリーン１８を介してアクセスされ得る。ハンドセット２及び／又は基地局１のデータベースに記憶された異なる電話番号又は像に関連づけられて、異なる着信音が提供されてよく、発呼者の容易な同定を可能にする。
【００２１】
ディジタル・カメラ３は、限定された機能性を有する簡単なディジタル・カメラであり、肖像写真を撮ることができ、この写真は次いでデータベースの中に保存され得る。小さいディスプレイ３１が提供され、写真撮影をトリガするキー３２と一緒に、要求されるレンズ（この例では背面にあるので図示されない）も提供される。データ・ポート１７は、例えば、ＵＳＢ接続を有する従来のメモリスティック（ＲＡＭ）からアップロードされる画像を提供することが想定され、ＵＳＢ接続はデータ・ポート１７であるか、別個のポート（図示されず）であってよい。カメラ３は、通常はハンドセットの後ろに格納位置を有するように図示されるが、この位置は、もちろん、電話装置の外観の詳細な設計に従って、例ごとに変動してよい。
【００２２】
電話装置の中に保持された画像又は写真データベースを操作するパーソナル・コンピュータへの任意的接続によって、追加の機能性が提供されてよい。
【００２３】
好ましくは、ＤＥＣＴプロトコルを使用して、基地局１へ無線で接続されるハンドセット２は、締め綱などを接続するためのループ２０と一緒にベルト・クリップ（背後にあるため図示されない）を有し、表示された像に関連した番号（又は、関連づけられた像がデータベースの中に記憶されていなければ、表示された番号）への呼を起動するキー２１、呼を終わらせるキー２２、ハンドセット及び／又は基地局の中のデータベースに記憶された像（写真でもよい）を表示し、及び像に関連づけられた名前及び電話番号も表示するディスプレイ２３、並びにデータベース（これは、ハンドセット又は基地局の中にあるか、追加の機能性及びバックアップを目的としてハンドセット及び基地局の中に複製されてよい）に記憶された像のスクローリングを可能にするスクロール輪２４を有する。キーパッド・ロック２６がハンドセット２の上で提供されて偶発的使用を防止してよく、緊急電話専用番号キー２５が提供されて、所定時間の間押されたままであるとき、救急サービス電話番号を自動的に呼び出すように手配され得る。好ましくは、キー２５の作動もハンドセットからの可聴信号及び振動を引き起こし、呼が行われたことをユーザに安心させる。音量コントロール２７が提供され、スピーカ及びマイクロホン２８及び２９も提供される。例えば、呼の間に呼実行キー２１を押したままにすることによって、ハンドセットが基地局から遠いとき、ハンドセットのハンズフリー動作が提供されてよい。
【００２４】
タッチスクリーン・ディスプレイ１８によって、簡単使用インタフェースが提供され、像がカメラ３から、又は、例えば、ＵＳＢメモリカードなどから、又はパーソナル・コンピュータ（ＰＣ）から直接にデータベースへ転送されることを可能にする。ディスプレイ１８は単一の像を表示する。像登録簿へのアクセスは、データベース内に保持された像を上方及び下方へスクロールすることを可能にする。データベースは、頻繁に使用されるサービス、例えば、医者、理容師、介護福祉士、タクシーなどに対応する特定の型の像を使用前に前もってロードされてよく、再びタッチスクリーン上のキーパッドを経由して電話番号が入力され、対応する像に関連づけて電話番号及び名前をデータベースの中に記憶することができる。タッチスクリーンを介して、カメラ、メモリスティック、又はＰＣから基地局スクリーンへ転送された像を保存する選択肢が提供されてよい。
【００２５】
ディスプレイ１８は最初に図１で図示されるメニュー１８１を表示し、スクリーン及びプロセッサは、次のようなタッチスクリーン動作機能を作動するように準備される。
像登録簿は、ユーザを像ギャラリー／登録簿へ直接連れて行く。
人物の追加は、像の追加を可能にする。
キーパッドは、番号が、タッチスクリーン・ディスプレイを介して直接ダイヤルされることを可能にする。
メッセージは、６つまでのメッセージが表示及び検索されることを可能にする。
【００２６】
「登録簿」スクリーン画は図２で図示され、単に各々の記憶された画像を名前及び番号と一緒に図示するスクロール・アップ及びダウン機能である。正しい像が見出されたとき、像にタッチするか「呼」キーを押すことによって呼を行うことができ、「終了」キーを使用するか、像を再び軽く叩くことによって終わらせることができる。
【００２７】
例えば、図３で図示されるように、ユーザにプロンプトさせる多数の所定の画像（例えば、一般開業医、薬局、理容師、介護福祉士、タクシー、社会奉仕など）も表示され得る。
【００２８】
デフォルト・ページは、そのときの日付及び時間並びに時計を表示してよいが、タッチされると、登録簿に入力するため、像、名前、番号、及び像の数が表示される。
【００２９】
簡単な順番は、「登録簿」のタッチ、上方又は下方へのスクロール、「呼」又は像のタッチ、次いで「呼の終了」又はスクリーンの再度のタッチである。
【００３０】
所望されるならば、並べ替えルーチンが優先順位づけを助けてよく、番号又は像が、毎月、使用頻度、即ち、「登録簿」のタッチに基づいて自動的に再順序づけされ、最も頻繁に呼ばれた番号がデフォルト像になり、下方へのスクロールは次に使用頻度の多いものを与える。以下同様である。
【００３１】
像、名前、及び番号をインストールするため、メイン・スクリーン・メニューから「人物の追加」選択肢が使用され、結果のメニュー選択（図４を参照）は、ユーザが像をどこから取得するかの場所の選択を可能にする。即ち、次のいずれかの場所である。
カメラが基地局ホルスターの中に格納されているとき、カメラから取得する。
ＵＳＢポートを使用してメモリスティックから取得する。
【００３２】
選択は像をスクリーン上に持ってきて（図５を参照）、選択肢は、カメラ又はメモリスティックの中に記憶された像をユーザがスクロールして記憶することを可能にする。選択された像は、次いで名前及び番号を割り当てるプロンプトと一緒に表示される。像が存在しなければ十字形が示され、「フィルムストリップ」又は登録簿の終わりを表す。
【００３３】
「記憶」へのタッチは、番号及び名前を尋ねる次のスクリーン（図６を参照）を起動する。「番号」キーが表示され、現れる数字キーパッドから番号が入力され、次いで記憶される。これに続いて、「名前」キーがタッチされると直ちに表示される英字キーパッド（図７を参照）を使用して、名前が入力される。
【００３４】
登録簿の中に記憶されていない人物への呼が必要であれば、メイン・スクリーン・メニューから「キーパッド」キーがタッチされ、数字キーパッド（図８を参照）が立ち上げられる。数字キーパッドは番号をダイヤルするためにタッチされる。
【００３５】
電話メッセージング・サービスが準備されてよく、番号が像登録簿の中に存在する発呼者のみのメッセージが残され得る。インストールされて発信する音声メッセージ（個人の音声メッセージではない）は、メッセージを残すように発呼者に告げる。メッセージが残されると、メッセージＬＥＤ１２４が閃光する。これは、メイン・スクリーン・メニュー上の「メッセージ」キーにタッチすることをユーザにプロンプトする。
【００３６】
メッセージ・キーにタッチすると、５つまでの画像が表示され、メッセージが残されたときの発呼者、日付、及び時間を示す。画像にタッチすると、メッセージを再生する。記憶、高速送り、又は削除の設備は存在しない。メッセージは３回の再生又は２４時間後に削除される。メッセージが再生されるか、ユーザがメイン・メニューへの戻りを望むとき、「終了」キーがタッチされる。
【００３７】
所望されるならば、ディスプレイは、ブロードバンド・リンクであってよい適切なリンクによって装置へ送られたテキスト又は像データを自動的に表示するように準備されてよい。装置は適切な処理能力を有し、適切な追加メニュー選択肢によって前もって選択された多数のサービスの１つからのメッセージを解読する。
【００３８】
ディスプレイ１８は、基地局１が電話の呼を受け取るとき、発呼者の電話番号に関連づけられた像を表示するように準備されてよい。これは、発呼者の電話番号及び関連づけられた像が像登録簿の中に記憶されている場合にのみ可能である。
【００３９】
基地局１は、遠隔カメラ及び呼び鈴へ接続されてよい。遠隔カメラは、誰がドアのところに居るかをユーザに見せる。呼び鈴が押下されと、ドアのところにある遠隔カメラは、ドアのところに居る人物の静止画像を写す。これは次いでディスプレイ１８の上に表示され、ユーザは電話上のボタンを押すことによって、遠隔から人物を招き入れる選択肢を有する。
【００４０】
ブルートゥース・ユニットが基地局１へ追加されてよく、ペアになった移動電話がブルートゥース接続を経由して基地局１へ接続されるとき、ユーザは基地局１の上で移動電話コンタクトの全てを見ることができるだけでなく（それらコンタクトを手作業で記憶する必要なしに）、移動ネットワークを経由して呼を行い、及び受け取ることができる。しかし基地局１を使用する。これは、基地局１のマイクロホン１９によって提供されるハンズフリー機能性をユーザが使用することを可能にする。
【図１】
2010506478.tif 000003
【図２】
2010506478.tif 000004
【図３】
2010506478.tif 000005
【図４】
2010506478.tif 000006
【図５】
2010506478.tif 000007
【図６】
2010506478.tif 000008
【図７】
2010506478.tif 000009
【図８】
2010506478.tif 000010
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
電話装置であって、
ＰＳＴＮ回線への接続を有する基地局と、
善意基地局及び該基地局を介して前記ＰＳＴＮへ接続可能なハンドセットと、
各々の電話番号が像に関連づけられ得る電話番号データベースを記憶するメモリと、
像をデータベースへダウンロードするプロセッサと、
前記像を電話番号に関連づけ、前記電話番号を前記像と関連づけて前記データベースの中に保存する入力デバイスと、
各々の像を前記データベースから逐次に表示するように準備されたディスプレイと、
前記ディスプレイ上で表示するため前記データベースから像を選択する選択器と、
前記ディスプレイ上で表示された前記像に関連づけられた番号を前記電話装置にダイヤルさせるダイヤリング起動器と、
前記基地局へ接続されるように該基地局へ格納され、記憶された像を前記データベースへダウンロードさせるように準備されたディジタル・カメラであって、前記基地局から取り外し可能であるディジタル・カメラと、
を含む電話装置。
【請求項２】
前記ハンドセットは、対応する無線モジュールを経由して基地局へ接続するための無線モジュールを有する、請求項１に記載の電話装置。
【請求項３】
前記ハンドセットは充電コネクタ及び再充電可能バッテリを含み、前記基地局は対応する充電ポートを含んで、前記ハンドセットが前記基地局へ格納されるとき前記ハンドセット内の再充電可能バッテリの充電を可能にする、請求項２に記載の電話装置。
【請求項４】
前記ハンドセットは前記基地局へのケーブル接続を有する、請求項１に記載の電話装置。
【請求項５】
前記データベースを記憶する前記メモリは前記基地局の中に配置される、先行する請求項のいずれか一項に記載の電話装置。
【請求項６】
前記メモリは前記ハンドセットの中に配置される、請求項１から４のいずれか一項に記載の電話装置。
【請求項７】
前記データベースを含むメモリは、前記ハンドセット及び前記基地局の各々の中に提供される、請求項１から６のいずれか一項に記載の電話装置。
【請求項８】
カメラがハンドセットの中に配置される、請求項１に記載の電話装置。
【請求項９】
前記入力デバイスはタッチスクリーン設備を備える、先行する請求項のいずれか一項に記載の電話装置。
【請求項１０】
前記ディスプレイはタッチスクリーン設備を提供する、請求項９に記載の電話装置。
【請求項１１】
前記入力デバイスはキーパッドを備える、請求項１から９のいずれか一項に記載の電話装置。
【請求項１２】
前記ディスプレイはタッチスクリーン・ディスプレイを含む、請求項１から９のいずれか一項に記載の電話装置。
【請求項１３】
前記ディスプレイは前記ハンドセットの中に配置される、請求項１から９のいずれか一項に記載の電話装置。
【請求項１４】
前記ディスプレイは前記基地局の中に配置される、請求項１から９のいずれか一項に記載の電話装置。
【請求項１５】
第２のディスプレイを含み、そのディスプレイの１つは前記ハンドセットの中に配置され、他のディスプレイは前記基地局の中に配置される、請求項１から１４のいずれか一項に記載の電話装置。
【請求項１６】
前記選択器はキーパッドの１つ又は複数のキーを備える、先行する請求項のいずれか一項に記載の電話装置。
【請求項１７】
前記選択器はスクロール輪を備える、請求項１から１５のいずれか一項に記載の電話装置。
【請求項１８】
前記選択器はタッチスクリーン・ディスプレイ上のスクロール機能を含む、請求項１から１５のいずれか一項に記載の電話装置。
【請求項１９】
前記ダイヤリング起動器はキーである、先行する請求項のいずれか一項に記載の電話装置。
【請求項２０】
前記ダイヤリング起動器はタッチスクリーンを含む、請求項１から１８のいずれか一項に記載の電話装置。
【請求項２１】
番号起動ダイヤリングのためのキーパッドを含む、請求項２０に記載の電話装置。
【請求項２２】
前記スクリーンは、オンスクリーン・タッチ・ダイヤリングのためのキーパッドを選択的に表示するように準備される、請求項２１に記載の電話装置。
【請求項２３】
前記基地局は、メモリ・デバイス又はコンピュータへの外部接続のためのデータ・ポートを含む、先行する請求項のいずれか一項に記載の電話装置。
【請求項２４】
救急サービス番号への専用の可聴警報及びキーを含み、該キーが所定の時間の間押されたとき可聴警報が鳴るようにされる、先行する請求項のいずれか一項に記載の電話装置。
【請求項２５】
前記ディスプレイは、各々の像及び関連づけられた電話番号を前記データベースから逐次に表示するように準備される、先行する請求項のいずれか一項に記載の電話装置。
【国際調査報告】
2010506478.tif 000011
2010506478.tif 000012